(57)【特許請求の範囲】
【請求項１】
表示の対象となる表示色データ、および出力媒体の画像データを取得するデータ取得部と、
前記画像データの特徴を示す代表値を取得する代表値取得部と、
前記表示色データを前記出力媒体に再現したときの色データを推定するために、前記画像データと前記代表値とから生成される推定補正値を用いて、推定表示色データを当該表示色データから生成する表示色データ生成部と、
を備えることを特徴とする画像処理装置。
【請求項２】
前記代表値取得部は、前記画像データの平均値または中央値を前記代表値として取得することを特徴とする請求項１に記載の画像処理装置。
【請求項３】
前記代表値取得部は、前記画像データを２値化処理したときの閾値を前記代表値として取得することを特徴とする請求項１に記載の画像処理装置。
【請求項４】
前記表示色データ生成部は、前記代表値に対する前記画像データの比率を前記推定補正値として生成することを特徴とする請求項１乃至３の何れか１項に記載の画像処理装置。
【請求項５】
表示の対象となる表示色データを出力媒体に再現したときの推定表示色データを、当該表示色データから生成する画像処理手段と、
前記推定表示色データを基に画像を表示する表示手段と、
を備え、
前記画像処理手段は、
前記表示色データ、および前記出力媒体の画像データを取得するデータ取得部と、
前記画像データの特徴を示す代表値を取得する代表値取得部と、
前記画像データと前記代表値とから生成される推定補正値を用いて、推定表示色データを前記表示色データから生成する表示色データ生成部と、
を備えることを特徴とする表示システム。
【請求項６】
コンピュータに、
表示の対象となる表示色データ、および出力媒体の画像データを取得するデータ取得機能と、
前記画像データの特徴を示す代表値を取得する代表値取得機能と、
前記表示色データを前記出力媒体に再現したときの色データを推定するために、前記画像データと前記代表値とから生成される推定補正値を用いて、推定表示色データを当該表示色データから生成する表示色データ生成機能と、
を実現させるプログラム。
【発明の詳細な説明】
【技術分野】
【０００１】
本発明は、画像処理装置、表示システム、プログラムに関する。
【背景技術】
【０００２】
印刷ワークフローでは、発注者からの依頼を受けて、クリエーターはデジタル制作物（パンフレット、チラシ、ポスターなど）のデザインを行い（制作工程）、印刷会社に依頼してプルーフまたは最終的な印刷物を作成することがある。ここでの制作工程のそれぞれの担当者は、その制作過程や完成後での出来映えを知るために、デジタル制作物の表示ソフトウェアやレイアウトソフトウェアを用いてデジタル制作物を表示デバイスで表示させ、表示された画像や映像などにより確認することが行われている。
【０００３】
特許文献１には、入力部を介して、パラメータ入力手段は、表面の材質及び表面の状態に関する情報を受付け、パラメータ変換手段は、入力された上記表面の材質及び表面の状態に基づき、パラメータ変換手段内にある変換式を用いて上記光学特性を求め、画像生成部は、物体の表面における上記光学特性に基づき、上記物体の表面の質感を決定して、画像を生成する画像生成装置が開示されている。
また特許文献２には、入力画像に基づいて対象物領域を検出し、対象物領域の色情報と３次元情報とを取得し、３次元情報に基づいて、照明の幾何情報を復元し、色情報、３次元情報、及び照明の幾何情報に基づいて、対象物領域の表面反射成分とボディー反射成分とを復元し、対象物領域の表面反射成分の平均値を算出し、算出した平均値を用いて表面反射成分を補正し、ボディー反射成分と補正した表面反射成分とを用いて、対象物領域の再現色を算出し、出力画像を生成するカラー画像処理方法が開示されている。
【先行技術文献】
【特許文献】
【０００４】
【特許文献１】特開平７−３２００９０号公報
【特許文献２】特許第５５３３６７０号公報
【発明の概要】
【発明が解決しようとする課題】
【０００５】
しかしながら印刷物は、印刷を行う用紙等の出力媒体上に画像が形成されたものであり、印刷物を見たときの印象は、印刷している出力媒体の特性により変化する。そのため制作物の出来映えをより精度よく確認するために、例えば既定の出力媒体でのプルーフや最終的な出力媒体での印刷物を実際に作成することも行われる。ただしそれら出力媒体を入手する前の事前確認を行うときや最終的な出力媒体が簡単に入手できないときなどには、この方法は使用できず、制作にかかわる担当者（発注者を含む）が経験や想像に基づき対応することになる。この場合、それぞれの担当者の経験の不足等により最終的な印刷物との差異が生ずることがある。さらに、出力媒体を複数の候補から１つを選択するためにすべての条件にて、プルーフ・印刷を試すには時間とコストがかかる。
本発明は、出力媒体の特性を反映させた印刷物の見た目の状態を生成することができる画像処理装置等を提供することを目的とする。
【課題を解決するための手段】
【０００６】
請求項１に記載の発明は、表示の対象となる表示色データ、および出力媒体の画像データを取得するデータ取得部と、前記画像データの特徴を示す代表値を取得する代表値取得部と、前記表示色データを前記出力媒体に再現したときの色データを推定するために、前記画像データと前記代表値とから生成される推定補正値を用いて、推定表示色データを当該表示色データから生成する表示色データ生成部と、を備えることを特徴とする画像処理装置である。
請求項２に記載の発明は、前記代表値取得部は、前記画像データの平均値または中央値を前記代表値として取得することを特徴とする請求項１に記載の画像処理装置である。
請求項３に記載の発明は、前記代表値取得部は、前記画像データを２値化処理したときの閾値を前記代表値として取得することを特徴とする請求項１に記載の画像処理装置である。
請求項４に記載の発明は、前記表示色データ生成部は、前記代表値に対する前記画像データの比率を前記推定補正値として生成することを特徴とする請求項１乃至３の何れか１項に記載の画像処理装置である。
請求項５に記載の発明は、表示の対象となる表示色データを出力媒体に再現したときの推定表示色データを、当該表示色データから生成する画像処理手段と、前記推定表示色データを基に画像を表示する表示手段と、を備え、前記画像処理手段は、前記表示色データ、および前記出力媒体の画像データを取得するデータ取得部と、前記画像データの特徴を示す代表値を取得する代表値取得部と、前記画像データと前記代表値とから生成される推定補正値を用いて、推定表示色データを前記表示色データから生成する表示色データ生成部と、を備えることを特徴とする表示システムである。
請求項６に記載の発明は、コンピュータに、表示の対象となる表示色データ、および出力媒体の画像データを取得するデータ取得機能と、前記画像データの特徴を示す代表値を取得する代表値取得機能と、前記表示色データを前記出力媒体に再現したときの色データを推定するために、前記画像データと前記代表値とから生成される推定補正値を用いて、推定表示色データを当該表示色データから生成する表示色データ生成機能と、を実現させるプログラムである。
【発明の効果】
【０００７】
請求項１の発明によれば、出力媒体の特性を反映させた印刷物の見た目を表示装置上で再現するための推定表示色データ（表示のための再現色、画像のデータや動画のデータなど）を生成することができる画像処理装置を提供することができる。
請求項２の発明によれば、代表値の算出がより容易となる。
請求項３の発明によれば、画像データが均一性が高いものでなくても好ましい代表値を取得することができる。
請求項４の発明によれば、印刷物の見た目を表示装置上で再現した画面がより自然なものとなりやすくなる。
請求項５の発明によれば、出力媒体の特性を反映させた印刷物の見た目を表示装置上で再現するための推定表示色データを生成する表示システムを提供することができる。
請求項６の発明によれば、出力媒体の特性を反映させた印刷物の見た目を表示装置上で再現するための推定表示色データを生成することができる機能をコンピュータにより実現できる。
【図面の簡単な説明】
【０００８】
【図１】本実施の形態が適用される表示システムの全体構成例を示したものである。
【図２】端末装置のハードウェア構成例を示した図である。
【図３】サーバの機能構成例について示したブロック図である。
【図４】２値化によりヒストグラムをクラス１とクラス２に分ける方法について示した図である。
【図５】表示色データ、画像データ、実際の印刷物、および推定表示色データの関係を示した図である。
【図６】（ａ）〜（ｂ）は、表示機構で表示される画面の例を示した概念図である。
【図７】表示システムの動作について説明したフローチャートである。
【発明を実施するための形態】
【０００９】
＜表示システムの全体構成の説明＞
以下、添付図面を参照して、本発明の実施の形態について詳細に説明する。なお、以降、印刷工程のデザイン原稿と出力媒体、印刷物の関係を利用して実施形態を説明するが、本発明は、実物体を仮想空間で再現するための処理を具現化しており、例えば、工業デザイン、衣料品、医療（美容整形、歯科など）、美術品、パッケージ（箱や包装フィルムなど）の印刷物、ゲームや映像、観光、建材（床、ドア、壁紙など）などであっても材料を特定しないデジタルデータを任意の材料にて再現するのを表示色データ（画像、動画、色データ（主に解析、評価で利用））として可視化するために同一原理をもつ装置が利用でき、印刷に制限されるものではない。
図１は、本実施の形態が適用される表示システムの全体構成例を示したものである。
図示する表示システム１は、端末装置１０ａ、１０ｂと、サーバ５０とがネットワーク９０に接続されている。
【００１０】
なお、図では、端末装置１０ａ、１０ｂを示したが、これらを区別する必要がない場合は、端末装置１０と称する。また、図には、２つの端末装置１０を示したが、端末装置１０は１つ以上であれば、その数はいくつでもよい。
【００１１】
端末装置１０は、詳しくは後述するが、デジタル制作の担当者が、画像処理ソフトウェア、レイアウトソフトウェア、文書編集ソフトウェアなどを使用してデザイン原稿を作成する。ここで、デザイン原稿はベクターデータ（ＣＧ、グラフなど）、フォント、画像のデータ（ラスターデータ）などを含んだデータ形式であるが、表示する際には端末装置１０でラスター化されることから、簡便のために、以降、このうち画像のデータを代表して用い、この画像のデータのみで構成したデータを、デザイン原稿と呼び、以下の説明を行う。また端末装置１０に印刷物の再現を推定した後述する推定表示色データによる画面を表示して、印刷物の出来映えを確認する。ここで、端末装置１０としては、ＰＣ（Personal Computer）、携帯端末、携帯電話等のコンピュータ装置を用いるとよい。
【００１２】
サーバ５０は、詳しくは後述するが、端末装置１０を用いて、表示の対象となる表示色データを出力媒体に再現したときの色データを推定した推定表示色データを生成する画像処理手段（画像処理装置）の一例である。ここで、推定した推定表示色データの出力形態として、画面表示で画像として利用する場合もあるが、動画として利用する場合もある。例えば、本のデザインでは、完成形態（実際の印刷物が本）として、ページをめくる操作や折り曲げの操作感などが出力媒体によって変化するために、画面での表現として動きで表現する必要がある。
サーバ５０は、このサービスを提供するコンピュータ装置である。
【００１３】
ネットワーク９０は、端末装置１０とサーバ５０との間の情報通信に用いられる通信手段であり、例えば、ＬＡＮ（Local Area Network）である。
【００１４】
次に、端末装置１０のハードウェア構成について説明する。
図２は、端末装置１０のハードウェア構成例を示した図である。
図示するように、端末装置１０は、演算手段であるＣＰＵ（Central Processing Unit）１１と、記憶手段であるメインメモリ１２及びＨＤＤ（Hard Disk Drive）１３とを備える。ここで、ＣＰＵ１１は、ＯＳ（Operating System、基本ソフトウェア）やアプリケーションプログラム（応用ソフトウェア）等の各種ソフトウェアを実行する。また、メインメモリ１２は、各種ソフトウェアやその実行に用いるデータ等を記憶する記憶領域であり、ＨＤＤ１３は、各種ソフトウェアに対する入力データや各種ソフトウェアからの出力データ等を記憶する記憶領域である。
更に、端末装置１０は、外部との通信を行うための通信インタフェース（以下、「通信Ｉ／Ｆ」と表記する）１４と、ビデオメモリやディスプレイ等からなる表示手段の一例としての表示機構１５と、キーボードやマウス等の入力デバイス１６とを備える。
【００１５】
なお図２は、サーバ５０のハードウェア構成例を示した図として捉えることもできる。
【００１６】
＜サーバ５０の説明＞
次に本実施の形態のサーバ５０について詳述する。
図３は、サーバ５０の機能構成例について示したブロック図である。
図示するサーバ５０は、データ取得部５１と、代表値取得部５２と、表示色データ生成部５３と、表示色データ出力部５４とを備える。
【００１７】
データ取得部５１は、表示のための表示色データ、および出力媒体（材料）の画像データを取得する。
ここで表示色データとは、例えば、端末装置１０で画像処理ソフトウェア、レイアウトソフトウェア、文書編集ソフトウェアなどを使用して作成されたデザイン原稿画像の色データである。また表示色データは、これらのソフトウェアを使用してデザインを行ったときに、端末装置１０の表示機構１５に表示する際に使用される元になるデータであると言ってもよい。なお表示色データは、端末装置１０で作成されるものに限られるものではなく、表示システム１の外部装置となる他の端末装置で作成されたものであってもよい。また、デザイン原稿の色空間は標準ＲＧＢ／標準ＣＭＹＫ色空間が利用され、印刷の色空間は入手できるＣＭＹＫ色空間が利用されていることから予め定められた色変換方法を利用して最終的な材料で表現可能な印刷の色空間に近づけることが好ましい。
【００１８】
表示色データは、これらのソフトウェアが作成した色データであり、例えば、端末装置１０を操作する担当者が、ネットワーク９０を介して、サーバ５０に送信し、これをデータ取得部５１が取得する。
【００１９】
これに対し画像データは、例えば、用紙等の材料を出力媒体として画像化したデータであり、例えば、出力媒体を画像読取装置(スキャナ)で読み取ったり、デジタルカメラなどにより撮影することやＣＡＤ（Computer Aided Design）、ＣＧ（Computer Graphics：コンピュータグラフィックス）のように仮想的なデータ生成などで得られる。即ち、画像データは、出力媒体表面の凹凸や材料感等を反映したものとなる。また画像データとしては、用紙等の表面の画像のデータに限られるものではなく、他に用紙等に印刷される画像のデータを含む。これは、例えば、自然画、風景画等の写真画像についての画像のデータである。この場合、写真画像についての画像のデータは、デジタルカメラなどにより自然画、風景画を撮影することで得ることができる。
画像データは、予め用意され、表示色データと同様に担当者が端末装置１０から送信することができる。また予め用意された画像データをサーバ５０が保持していてもよい。
【００２０】
表示色データおよび画像データは、予め定められた表色系における色データとなる。色データは演算式やカラーマネジメントシステムを利用することで任意の色空間に変更ができるために、本実施の形態で用いる表色系としては、特に限られるものではないが、色データをエネルギー量として表すことができるものであることが好ましい。この場合、後述する表示色データ生成部５３での補正の演算が、乗算で行えるためより容易になる。具体的には、例えば、ＣＩＥＸＹＺ表色系、ＬＭＳ表色系、リニアＲＧＢ表色系等を用いることができる。
【００２１】
代表値取得部５２は、画像データの特徴を示す代表値を取得する。
この代表値は、例えば、画像データの平均値または中央値である。例えば、画像データがＸＹＺ表色系によるＸＹＺデータであった場合は、画像データ中のＸ値、Ｙ値、Ｚ値のそれぞれの平均値または中央値が代表値となる。
【００２２】
ここで画像データの均一性が高いものであったときには、代表値取得部５２は、単に画像データの平均値または中央値を求め、これを代表値とすればよい。また、画像が、写真画像やグラデーション画像等を問わず安定的に算出したい場合、代表値取得部５２は、２値化処理したときの閾値を利用することで代表値を簡便に算出できる。この場合、後述する印刷物を表示機構１５上で再現した画面がより自然なものとなりやすい。ここでは、２値化処理の一例として、判別分析法を説明する。
【００２３】
判別分析法では、クラス間分散が最大となるように閾値を決定し、この閾値を境界としてヒストグラムを２つのクラスであるクラス１とクラス２に分ける。
【００２４】
図４は、判別分析法によりヒストグラムをクラス１とクラス２に分ける方法について示した図である。
図４では、横軸が画像データを表し、縦軸が画素数を表す。そして閾値未満の画素値を有する画素のクラスをクラス１、閾値以上の画素値を有する画素のクラスをクラス２で示している。
【００２５】
この閾値は、以下のようにして求める。
全画素の画像データの平均をｍｔ、分散をσｔ２とする。またクラス１の画素数をω１、画像データの平均をｍ１、分散をσ１２とする。さらにクラス２の画素数をω２、画像データの平均をｍ２、分散をσ２２とする。このときクラス内分散σｗ２およびクラス間分散σｂ２は、それぞれ以下の数１式、数２式で表せる。
【００２６】
【数１】
0006593112.tif 000002
【００２７】
【数２】
0006593112.tif 000003
【００２８】
ここで全画素の分散をσｔ２は、以下の数３式で表せる。
【００２９】
【数３】
0006593112.tif 000004
【００３０】
そしてクラス間の分離度ｔは、クラス内分散σｔ２およびクラス間分散σｂ２の比によって次の数４式のように表される。
【００３１】
【数４】
0006593112.tif 000005
【００３２】
全画素の分散σｔ２は一定であるから、分離度ｔが最大となるのはクラス間分散σｂ２が最大のときである。そしてσｂ２が最大値となるときの分離度ｔが閾値となり、代表値とする。
【００３３】
また、画像データがグラデーションを含むものであれば、適用範囲の領域を細分化した領域処理を繰り返したり、メディアンフィルタ処理することで、平均値や中央値、または閾値を代表値とすることもできる。
【００３４】
表示色データ生成部５３は、表示色データを出力媒体に再現したときの色データを推定するための推定補正値を代表値から生成し、生成された推定補正値を用いて表示色データから新たな表示色データを推定し生成する。
ここで推定された表示色データは、デザイン原稿を実際の出力媒体に印刷したときの色データを推定したものである。例えば、推定するための元となる表示色データがデザイン原稿を画像データ化したものであれば、推定補正値を用いて推定された表示色データ（画像のデータ）は、出力媒体に印刷した印刷物に見た目が近い画像のデータとなる。なお以後、推定された表示色データを「推定表示色データ」と言うことがある。
【００３５】
表示色データ生成部５３が生成する推定補正値は、例えば、代表値取得部５２で取得したそれぞれの代表値に対する画像データのそれぞれの色データの比率とすることができる。
また表示色データ生成部５３は、例えば、表示色データに推定補正値を乗算することで、この推定表示色データを求める。
【００３６】
さらに表示色データ生成部５３は、このとき表示色データの背景部（通常は白色部）について白色のままとするか、画像データに置換するかを選択してもよい。これは予め担当者が表示色データ背景部の取り扱いについて、「白色」か「透明」であるかを選択し、「白色」を選択した場合は、白色のままとし、「透明」を選択した場合は、画像データで置換することで行うことができる。ちなみに、ここでの背景部は、白色を例にして説明しているが、出力媒体が色紙のように色づいた背景色の場合もあることからも明らかなように、出力媒体に応じて選択肢を設定することが好ましい。
【００３７】
表示色データ出力部５４は、表示色データ生成部５３で求めた推定表示色データを端末装置１０に送信する。端末装置１０では、推定表示色データを基に、表示機構１５にて画像を表示する。
【００３８】
図５は、表示色データ、画像データ、実際の印刷物、および推定表示色データの関係を示した図である。
図示するように実際の印刷物は、デザイン原稿（元データ）を出力媒体に印刷（出力）することにより得られる。一方、本実施の形態では、実際の印刷物の推定の色データを得ることを目的とする。そのために画像データ（出力媒体の画像のデータ）から、まず代表値取得部５２で、画像データの代表値を求める。そして次に表示色データ生成部５３で、代表値と画像データから求めた推定補正値を利用して、表示色データ（元データから求めた色データ）から、推定した推定表示色データを求める。そして推定表示色データを基に構成した画像を端末装置１０の表示機構１５に表示させる。
【００３９】
図６（ａ）〜（ｂ）は、表示機構１５で表示される画面の例を示した概念図である。
ここで図６（ａ）は、表示色データを基にした画像Ｇ１を表示機構１５に表示した例である。また図６（ｂ）は、推定表示色データを基にした画像ＧＳを表示機構１５に表示した例である。図６（ｂ）に示した例では、出力媒体の一部に画像Ｇ１が再現される。これは画像データによる画像Ｇ２を反映したものとなり、画像Ｇ１に出力媒体表面の凹凸や質感等を加味したものとなる。また出力媒体のその他の箇所は、画像データによる画像Ｇ２となる。
【００４０】
＜表示システム１の動作の説明＞
次に表示システム１の動作の説明を行う。
図７は、表示システム１の動作について説明したフローチャートである。
まず端末装置１０で動作する画像処理ソフトウェア、レイアウトソフトウェア、文書編集ソフトウェアなどを用いて、担当者が表示色データであるデザイン原稿を作成する（ステップ１０１）。
【００４１】
次に担当者は、端末装置１０で動作するブラウザ等のソフトウェアを起動し、サーバ５０が提供するサービスのＷｅｂページ（統一資源位置指定子）を開く（ステップ１０２）。
【００４２】
担当者は、このＷｅｂページのメニュー等を操作し、まず表示色データ（デザイン原稿）をサーバ５０に送信する（ステップ１０３）。
【００４３】
さらに担当者は、出力媒体の画像データを決定する（ステップ１０４）。これは、例えば、担当者がＷｅｂページのメニュー等を操作し、出力媒体の画像データをサーバ５０に送信することで行う。なおこの画像データは、サーバ５０が予め保持していてもよく、その場合は、担当者は、サーバ５０から送られる出力媒体の見本画像の中から選択を行う。
【００４４】
一方、サーバ５０では、データ取得部５１が、表示色データおよび画像データを取得する（ステップ１０５）。
【００４５】
次に代表値取得部５２が、画像データの特徴を示す代表値を取得する（ステップ１０６）。この代表値は、例えば、上述したように画像データの平均値または中央値である。
【００４６】
そして表示色データ生成部５３が、表示色データを推定する推定補正値を代表値から生成する（ステップ１０７）。この推定補正値は、例えば、上述したように代表値に対する画像データの比率である。
【００４７】
さらに表示色データ生成部５３が、推定補正値を用いて、表示色データを印刷して出力媒体に再現したときの印刷物の見えを推定した推定表示色データを生成する（ステップ１０８）。推定表示色データの生成は、例えば、上述したように表示色データに、それぞれの推定補正値を乗算することで行う。
【００４８】
そして表示色データ出力部５４が、推定表示色データを端末装置１０に送信する（ステップ１０９）。
【００４９】
端末装置１０では、この推定表示色データによる画像をブラウザ上で表示する（ステップ１１０）。
【００５０】
これにより担当者は、実際の印刷物を印刷を行う前に、表示機構１５での表示により予め確認することができる。そのため担当者の経験や想像に頼らずに制作物の出来映えを評価することができる。また印刷物を表示機構１５により確認できるので、デザインの修正等の作業もより効率的に行うことができる。さらに実際の印刷物の印刷を行わずに、複数の出力媒体の候補から１つの出力媒体を決定することや、印刷物の制作を発注した発注者等に出来映えを示すこともできる。
【００５１】
以上説明した表示システム１では、サーバ５０が、表示色データおよび画像データを基に、推定表示色データを作成していたがこれに限られるものではない。例えば、上述したサーバ５０の機能を端末装置１０に組み込み、端末装置１０で上述した一連の処理を行わせることもできる。この場合、端末装置１０が画像処理手段（画像処理装置）の一例となる。
さらにサーバ５０をインターネット上で動作するクラウドサーバとし、サーバ５０の機能をクラウドサービスとして提供してもよい。またこのとき、サーバ５０にプリントサーバの機能を付与し、いわゆるクラウドプリントサービスを提供してもよい。なおこの場合、サーバ５０とは別のクラウドサーバを用意し、これにプリントサーバの機能を付与してもよい。
【００５２】
また上述した例では、例えば、ＸＹＺ表色系を使用する場合、画像データ中のＸ値、Ｙ値、Ｚ値のそれぞれの平均値、中央値、または閾値を求め、以下の処理を行っていたが、これに限られるものではない。例えば、表示色データから推定表示色データを生成するのに輝度成分だけを使用して行うこともできる。この場合は、輝度成分であるＹ値の平均値または中央値などを求め、以下の処理を行う。
【００５３】
さらに上述した例では、サーバ５０では、印刷物の画像を推定し、この推定画像データを作成していたが、これに限られるものではなく、出力媒体に映し出したときの映像を推定し、この推定映像データを作成してもよい。この場合、出力媒体は、例えば、スクリーンである。またこの場合、サーバ５０は、映像処理装置の一例として把握することができる。
【００５４】
＜プログラムの説明＞
なおサーバ５０が行う処理は、サーバ５０のＣＰＵ１１が各種ソフトウェアを実行することで実現される。
よってサーバ５０が行う処理は、コンピュータに、表示の対象となる表示色データおよび出力媒体の画像データを取得するデータ取得機能と、画像データの特徴を示す代表値を取得する代表値取得機能と、表示色データを出力媒体に再現したときの色データを推定するために、画像データと代表値とから生成される推定補正値を用いて、推定表示色データを表示色データから生成する表示色データ生成機能と、を実現させるプログラムとして捉えることもできる。
【符号の説明】
【００５５】
１０…端末装置、５０…サーバ、５１…データ取得部、５２…代表値取得部、５３…表示色データ生成部、５４…表示色データ出力部
【図１】
0006593112.tif 000006
【図２】
0006593112.tif 000007
【図３】
0006593112.tif 000008
【図４】
0006593112.tif 000009
【図５】
0006593112.tif 000010
【図６】
0006593112.tif 000011
【図７】
0006593112.tif 000012